(57)【要約】【課題】  被接合部材どうしを分解および分別が容易な形態に接合する接合用部材と、この接合用部材により接合された部材により分解や分別が容易となるように組み付けられた表示装置を提供すること。【解決手段】  弾性変形可能なシート状の基材に被接合部材の接合面に吸着可能な複数の貫通孔や凹状陥没穴が形成される接合用部材１ａ，１ｂを形成し、表示装置２に組み込まれるシャーシ３１とこのシャーシ３１に装着されるフレーム３２との接合、シャーシ３１とシャーシ３１に液晶モジュール２５を保持するためのベゼル３３との接合、シャーシ３１とシャーシ３１に装着される各種電子・電気回路基板２６，２７を覆う回路基板カバー３４，３５との接合に、前記接合用部材１ａ，１ｂを用いる。【選択図】  図２
2007065229.tif 000002
【特許請求の範囲】
【請求項１】
被接合部材どうしを接合するための接合用部材であって、弾性変形可能なシート状の基材に複数の貫通孔および／または凹状陥没穴が形成されてなることを特徴とする接合用部材。
【請求項２】
前記複数の貫通孔および／または凹状陥没穴は、互いに気体が流通可能には連通しないことを特徴とする請求項１に記載の接合用部材。
【請求項３】
請求項１または請求項２に記載の接合用部材を用いて被接合部材どうしを接合する方法であって、被接合用部材どうしの相対向する接合面の間に前記接合用部材を介在させ、少なくとも前記介在させた接合用部材の周辺を減圧して前記接合用部材に形成される貫通孔および／または凹状陥没穴の内部の気圧を減じ、その後前記接合用部材の周辺の気圧を元に戻すことを特徴とする被接合部材どうしを接合する方法。
【請求項４】
請求項１もしくは請求項２に記載の接合用部材により接合された被接合部材どうしまたは請求項３に記載の方法を用いて接合された被接合部材どうしを分解する方法であって、少なくとも被接合部材の接合面の間に介在する前記接合用部材の周辺の気圧を減じることを特徴とする被接合部材の分解方法。
【請求項５】
請求項１もしくは請求項２に記載の接合用部材により接合された部材または請求項３に記載の方法により接合された被接合部材を備えることを特徴とする表示装置。
【請求項６】
少なくともシャーシと、このシャーシに装着されるフレームとを備える表示装置であって、前記シャーシと前記フレームとが請求項１もしくは請求項２に記載の接合用部材または請求項３に記載の方法を用いて接合されることを特徴とする請求項５に記載の表示装置。
【請求項７】
少なくともシャーシと、このシャーシに装着されて表示パネルをシャーシに保持するベゼルとを備える表示装置であって、前記シャーシと前記ベゼルとが請求項１もしくは請求項２に記載の接合用部材または請求項３に記載の方法を用いて接合されることを特徴とする請求項５または請求項６に記載の表示装置。
【請求項８】
少なくともシャーシと、該シャーシに装着される電子・電気回路基板を覆う回路基板カバーとを備える表示装置であって、前記回路基板カバーは請求項１もしくは請求項２に記載の接合用部材または請求項３に記載の方法を用いてシャーシに接合されることを特徴とする請求項５から請求項７のいずれかに記載の表示装置。
【請求項９】
前記シャーシに装着されるフレームは複数の部材から形成されてなるものであって、前記複数の部材どうしが請求項１もしくは請求項２に記載の接合用部材または請求項３に記載の方法を用いて接合されてなることを特徴とする請求項５から請求項８のいずれかに記載の表示装置。
【請求項１０】
前記表示パネルを保持するベゼルが複数の部材から形成されてなるものであって、前記複数の部材どうしが請求項１もしくは請求項２に記載の接合用部材または請求項３に記載の方法を用いて接合されてなることを特徴とする請求項５から請求項９のいずれかに記載の表示装置。
【発明の詳細な説明】
【技術分野】
【０００１】
本発明は、気圧差を利用してある被接合部材と他の被接合部材とを接合する接合用部材と、この接合用部材を用いた被接合部材どうしの接合方法、この接合用部材を用いて接合された被接合部材の分解方法、およびこの接合用部材または接合方法により接合された部材を備える表示装置に関するものである。
【背景技術】
【０００２】
液晶表示装置などの表示装置や、その他の一般的な家庭用電化製品は、多数の部品や部材が組み合わされて構成される。このような部品や部材の接合には、種々の手段や接合用部材が用いられているが、その中でも特にネジやリベットによる接合が広く用いられている。
【０００３】
図３は、従来の液晶表示装置の構成の一例を示した分解斜視図である。この図に示す液晶表示装置８は、光源ランプ８２と、光源ランプ８２が発した光を乱反射する反射シート８１と、光源ランプ８２が発した光の特性を調整する光学シート類８４と、光源ランプ８２が発した光を透過させて画像を可視状態に表示する液晶モジュール８５とを備える。そして、筐体としてのシャーシ９１と、光学シート類８４のスペーサなどとなるサイドホルダ８３と、光学シート類８４をシャーシ９１に保持するなどの機能を有するフレーム９２と、液晶モジュール８５を保持するなどの機能を有するベゼル９３とを備える。このほか、光源ランプ８２を駆動する光源駆動回路基板８６と、液晶モジュール８５を制御するコントロール回路基板８７と、これらの回路基板８６，８７を覆う光源駆動回路基板カバー９４とコントロール回路基板カバー９５とを備える。
【０００４】
このような部材を備える表示装置８において、フレーム９２、ベゼル９３、光源駆動回路基板カバー９４、コントロール回路基板カバー９５などの部材は、一般的にネジ（図示せず）によりシャーシ９１に接合される。また、この図３に示すように、ベゼル９３やフレーム９２そのものが複数の部材９２１，９２２，９３１，９３２から形成されるものである場合には、これらの部材どうしの接合には一般的にネジやリベット９６が用いられる。
【０００５】
【特許文献１】特開２００１−１８３６２７号公報
【発明の開示】
【発明が解決しようとする課題】
【０００６】
最近は環境問題への対応などの理由から、廃棄処分等する際にできる限り分別がしやすいように分解でき、かつ分解作業自体が容易な構成を有することが要求されている。たとえば前記の液晶表示装置８は、ガラス類を含む液晶モジュール８５、水銀を含む光源ランプ８２、金属類により形成されるシャーシ９１、フレーム９２、ベゼル９３および回路基板カバー９４，９５、合成樹脂などにより形成される反射シート８１、光学シート類８４およびサイドホルダ８３、その他種々の電気・電子部品が実装される各種回路基板８６，８７などを備える。このため、これらの部材は分解作業が容易な形態で接合されることが好ましい。
【０００７】
しかしながら、前記のようなネジを用いた接合は、分解の際にネジを緩める作業が必要となる。またリベットを用いた接合を解除するためには、リベットを破壊する作業が必要となる。このようにこれらの接合方法では、分解作業に手間と時間を要する。
【０００８】
上記実情に鑑み、本発明が解決しようとする課題は、ある被接合部材と他の被接合部材とを接合するために用いられる接合用部材であって、分解作業が容易で短時間で行える接合用部材を提供すること、このような接合用部材を用いた被接合部材どうしの接合方法、このような接合用部材を用いて接合された被接合部材の分解方法、または、このような接合用部材もしくは接合方法を用いて接合された被接合部材を備える表示装置であって、廃棄処分等の際に分別と分解が容易な表示装置を提供することである。
【課題を解決するための手段】
【０００９】
このような課題を解決するため、弾性変形可能なシート状の基材に被接合部材の接合面に吸着可能な複数の貫通孔および／または凹状陥没穴が形成される接合用部材を用いる。ここで、各貫通孔および／または各凹状陥没穴が独立して吸着力を有するよう、互いに気体が流通できないように形成されることが好ましい。
【００１０】
このような接合用部材を用いて被接合部材どうしを接合するには、被接合部材どうしの相対向する接合面の間にこの接合用部材を介在させ、その状態で接合用部材の周辺の気圧を減じる。これにより、接合用部材に形成される貫通孔や凹状陥没穴の内部の気圧が低下する。その後接合用部材の周辺の気圧を元に戻すと、接合用部材に形成される貫通孔や凹状陥没穴の内部気圧と外部の気圧との気圧差により接合用部材が被接合部材の接合面に吸着する。この結果被接合部材どうしが接合される。
【００１１】
このような接合用部材を用いて接合された被接合部材を分解するには、被接合部材の接合面の間に介在する接合用部材の周辺の気圧を減ずる。そして接合用部材の貫通孔や凹状陥没穴の内部気圧と外部の気圧の差が小さくするか、なくするか、または逆転させる。これにより接合用部材は被接合部材の接合面に対する吸着力を失い、被接合部材どうしの接合が解除される。
【００１２】
液晶表示装置などといった表示装置を構成する部材どうしを、このような接合用部材を用いて接合する。たとえば、シャーシとこのシャーシに装着されるフレームとの接合、シャーシとシャーシに表示パネルを保持するためのベゼルとの接合、シャーシとシャーシに装着される各種電子・電気回路基板を覆う回路基板カバーとの接合などに好適に適用できる。
【００１３】
また、前記フレームや前記ベゼルといった表示装置を構成する部材がさらに複数の部材から形成されてなるものである場合には、これらの部材を前記接合用部材を用いて接合することができる。
【発明の効果】
【００１４】
本発明に係る接合用部材は気圧差を利用して被接合部材の接合面に吸着し、これにより被接合部材どうしを接合する。したがって、この接合用部材を用いて接合された被接合部材は、接合用部材の周辺を減圧して気圧差を小さくするか、なくするか、または逆転させると、接合用部材は吸着力を失い、接合が自然に解除される。したがって、従来のようなネジやリベットなどによる接合に比較して、分解に要する手間を大幅に削減することができる。特に大量に分解作業を行う場合、たとえば、接合用部材で接合された被接合部材を複数備える表示装置を分解する場合や、複数の表示装置を分解する場合には、これらを減圧室などに投入すれば、一時にまとめて分解することができる。
【００１５】
ここで、この接合用部材に形成される貫通孔や凹状陥没穴どうしが連通せず、互いに気体が流通できないように形成されるものであれば、各貫通孔や各凹状陥没穴が独立して吸着力を発揮する。
【００１６】
このような接合用部材を用いて部材どうしを接合した被接合部材を備える表示装置は分解が容易となるから、廃棄処分などの際の分解作業に要する作業の手間が削減され、作業時間の短縮を図ることができる。また、分別やリサイクルも容易となる。さらにこの接合用部材は、分解するといずれの被接合部材からも自然に分離するから、分別やリサイクル際に不純物となることがない。また、接合用部材自体のリサイクルも容易である。
【発明を実施するための最良の形態】
【００１７】
以下に、本発明の実施形態について、図面を参照して詳細に説明する。図１は、本発明の実施形態に係る接合用部材の構成を示した一部断面図を含む外観斜視図である。それぞれ図１（ａ）は貫通孔が形成される接合用部材を、図１（ｂ）は凹状陥没穴が形成される接合用部材を示す。
【００１８】
本実施形態に係る接合用部材１ａ，１ｂは、気体の通過が困難でかつ弾性変形可能な材料によりシート状に形成される。具体的には、天然ゴム、合成ゴム、弾性を有する各種の樹脂材料などにより形成される。この接合用部材の厚さは特に限定されるものではないが、たとえば１ｍｍ程度の厚さに形成されることが好ましい。
【００１９】
図１（ａ）に示す接合用部材１ａについて説明すると、この接合用部材１ａには、多数の微小な貫通孔１１が形成される。この貫通孔１１の径は特に限定されるものではないが、たとえば１ｍｍ以下であることが好ましい。これらの貫通孔１１どうしは互いに独立しており、相互に気体が流通不可能に形成される。なお、この貫通孔１１の径は一定である必要はなく、また必ずしもその断面形状が円形またはそれに類する形状である必要はない。
【００２０】
次に図１（ｂ）に示す接合用部材１ｂについて説明すると、この接合用部材１ｂには、その両面に所定の深さの凹状陥没穴１２が多数形成される。この凹状陥没穴１２の径は特に限定されるものではないが、たとえば１ｍｍ以下であることが好ましい。また、これらの凹状陥没穴１２どうしは互いに独立しており、互いに気体が流通不可能に形成される。なお、この凹状陥没穴１２の径や深さは一定である必要はなく、また必ずしも断面形状が円形またはそれに類する形状である必要はない。
【００２１】
この貫通孔１１や凹状陥没穴１２の形成方法は特に限定されるものではない。たとえば、接合用部材１ａ，１ｂをシート状にモールドする際に、多数のピン状の突起物が設けられた金型を用い、成形と同時に貫通孔１１や凹状陥没穴１２を形成するものであってもよい。また、接合用部材１ａ，１ｂをシート状に形成した後に、パンチなどを用いて貫通孔１１や凹状陥没穴１２を形成するものであってもよい。
【００２２】
このような接合用部材１ａ，１ｂを用いた被接合部材どうしの接合のメカニズムおよび手順は次の通りである。被接合部材の接合面どうしの間に接合用部材１ａ，１ｂを介在させ、この接合用部材１ａ，１ｂの周辺の気圧を減少させる。これにより、接合用部材１ａ，１ｂの貫通孔１１または凹状陥没穴１２の内部に存在する空気は外部に吸引され、貫通孔１１または凹状陥没穴１２の内部の気圧が減少する。その後、この接合用部材１ａ，１ｂの周辺の気圧を元に戻す。接合用部材１ａ，１ｂの周辺の気圧が元に戻ると、貫通孔１１または凹状陥没穴１２の内部気圧と外部気圧の差によって、接合用部材１ａ，１ｂが被接合部材の接合面に吸着する。この結果、被接合部材どうしが接合される。
【００２３】
一方、被接合部材どうしの接合を解除するには、少なくとも接合用部材１ａ，１ｂの周辺の気圧を減ずればよい。接合用部材１ａ，１ｂの周辺を減圧して貫通孔１１または凹状陥没穴１２の内部気圧と外部の気圧の差を小さくするか、なくするか、または逆転させると、接合用部材１ａ，１ｂの被接合部材に対する吸着力が小さくなるか、またはなくなる。その結果、被接合部材どうしの接合が自然に解除される。
【００２４】
このように、接合用部材１ａ，１ｂの周辺の気圧を減ずるだけで、被接合部材の接合が自然に解除される。したがって、従来のようなネジによる接合や、リベットによる接合に比較して接合の解除が容易となる。また、接合用部材１ａ，１ｂも被接合部材の接合面から完全に分離するから、分別やリサイクルの際に不純物となることもない。
【００２５】
被接合部材どうしを接合する際にどの程度減圧するかは特に限定されるものではない。ただし、使用中に分解しないよう、接合用部材１ａ，１ｂが使用される環境の気圧より低くする。大気圧下で使用されるものであれば、たとえば０．３気圧程度まで減圧することが好ましい。
【００２６】
次に、この接合用部材を用いて接合された被接合部材を備える表示装置の実施形態について説明する。図２は、本発明の実施形態に係る表示装置の構成を示した分解斜視図である。ここで示す実施形態は、透過型の液晶表示パネルを備える表示装置に適用される構成である。なお、以下本発明の実施形態に係る表示装置を「本表示装置」と略して称することがある。また、説明の便宜上、図２中の上側を表示装置の前面側、下側を表示装置の背面側と称する。
【００２７】
図２に示すように本表示装置２は、複数の光源ランプ２２と、これらの光源ランプ２２が発した光を乱反射する反射シート２１と、光源ランプ２２が発した光の特性を調整する光学シート類２４と、光源ランプ２２が発した光を透過させて画像を可視状態に表示する液晶モジュール２５とを備える。そして、筐体としてのシャーシ３１と、光学シート類２４のスペーサなどとなるサイドホルダ２３と、光学シート類２４をシャーシ３１に保持するなどの機能を有するフレーム３２と、液晶モジュール２５を保持するなどの機能を有するベゼル３３とを備える。このほか、光源ランプ２２を駆動する光源駆動回路基板２６と、液晶モジュール２５を制御するコントロール回路基板２７と、これらの回路基板２６，２７を覆う光源駆動回路基板カバー３４とコントロール回路基板カバー３５とを備える。
【００２８】
光源ランプ２２は、たとえば冷陰極管や熱陰極管などの蛍光管、面状または線状光源化されたＬＥＤなどといった、各種の線状または面状の光源が適用できる。図２においては、直管形状を有する蛍光管が適用される構成を示すが、これらの構成に限定されるものではない。
【００２９】
反射シート２１は、光を乱反射する表面性状を有するシート状または板状の部材である。たとえば、発泡ＰＥＴ樹脂（ポリエチレンテレフタレート樹脂）材料などにより形成される。
【００３０】
光学シート類２４は、ここでは光源ランプ２２が発する光の特性を調整するシート状もしくは板状の部材またはこれらの集合をいうものとする。このような光学シート類２４には、たとえば拡散板、拡散シート、レンズシート、偏光反射フィルムなどが含まれる。そして一般的にはこれらが積層されて使用される。
【００３１】
サイドホルダ２３は略棒状に形成される部材である。たとえば樹脂材料などにより一体に形成される。このサイドホルダ２３は、シャーシ３１の両短辺に装着されて光学シート類２４を保持するスペーサなどとして機能する。
【００３２】
液晶モジュール２５は、液晶表示パネルの周縁部にこの液晶表示パネルを駆動するドライバ類が装着された構造を有する。液晶表示パネルは、２枚の透明基板の間に液晶が充填された構成を備える。
【００３３】
なお、前記各部材は、従来一般に用いられるものが適用できることから、詳細な説明は省略する。
【００３４】
シャーシ３１は略四辺形の板状の部材であり、たとえば金属の板材などによりプレス加工を用いて一体に形成される。このシャーシ３１は、長辺の周縁部に沿って前面側に衝立状に起立するような形態の側壁３１１が形成される。
【００３５】
フレーム３２は、光学シート類２４を保持するなどの機能を有する。この図２に示すように、フレーム３２は開口した略四辺形に形成され、その外周縁には背面側に向かって曲げ起こされるような形態の側壁を有する。このフレーム３２は、長辺を構成する部材３２１と短辺を構成する部材３２２とからなる。これらの部材３２１，３２２はともに断面が略Ｌ字形状を有し、たとえば金属の板材などによりプレス加工などを用いて形成される。長辺を構成する部材３２１の両端部近傍には段差状の接合面３２１１が設けられる。そしてこの長辺を構成する部材３２１の接合面３２１１と、短辺を構成する部材３２２の端部近傍とを重畳させ、その間に接合用部材１ａ，１ｂを介在させることにより、これらの部材３２１，３２２を接合する。これにより、長辺を構成する部材３２１と短辺を構成する部材３２２とが一体化して、開口した略四辺形のフレーム３２が形成される。
【００３６】
ベゼル３３は、液晶モジュール２５を保持するなどの機能を有する。この図２に示すように開口した略四辺形に形成され、その外周縁には背面側に向かって曲げ起こされるような側壁を有する。このベゼル３３は、長辺を構成する部材３３１と短辺を構成する部材３３２とからなる。これらの部材３３１，３３２はともに断面が略Ｌ字形状を有し、たとえば金属の板材などによりプレス加工などを用いて形成される。長辺を構成する部材３３１の両端部近傍には段差状の接合面３３１１が設けられる。そしてこの長辺を構成する部材３３１の接合面３３１１と、短辺を構成する部材３３２の端部近傍とを重畳させ、その間に接合用部材１ａ，１ｂを介在させることにより、これらの部材３３１，３３２を接合する。これにより、長辺を構成する部材３３１と短辺を構成する部材３３２とが一体化して、開口した略四辺形のベゼル３３が形成される。
【００３７】
このような部材を備える表示装置２の組み付けは、次の通りである。シャーシ３１の前面側に反射シート２１を布設し、その前面側に光源ランプ２２を並べて配置する。そしてサイドホルダ２３を、配置した光源ランプ２２の端部近傍を覆うようにシャーシ３１の両短辺の周縁部に載置する。さらにその前面側に光学シート類２４を載置する。
【００３８】
そしてその前面側に、前記のように一体化させたフレーム３２を装着する。フレーム３２が装着されると、シャーシ３１の側壁３１１にフレーム３２の側壁が重畳する形態となる。このシャーシ３１の側壁３１１の外周面とフレーム３２の側壁の内周面との間に接合用部材１ａ，１ｂ（図示せず）を介在させ、フレーム３２をシャーシ３１に固定する。これにより、シャーシ３１とフレーム３２が一体化し、光学シート類２４がシャーシ３１の側壁３１１の頂面およびサイドホルダ２３の頂面と、フレーム３２の背面側の面との間に挟持されて保持される構成となる。
【００３９】
次いで、フレーム３２の前面に液晶モジュール２５を載置し、その前面側にベゼル３３を装着する。ベゼル３３が装着されると、ベゼル３３の側壁がフレーム３２の側壁またはシャーシ３１の側壁３１１に重畳する構成となる。そしてベゼル３２の側壁の内周面とフレーム３２の側壁の外周面との間、またはベゼル３３の側壁の内周面とシャーシ３１の側壁３１１の外周面との間に接合用部材１ａ，１ｂ（図示せず）を介在させ、ベゼル３３とフレーム３２、またはベゼル３３とシャーシ３１とを結合する。これにより、シャーシ３１、フレーム３２およびベゼル３３とが一体に結合する。そして液晶モジュール２５は、フレーム３２とベゼル３３との間に挟持されて保持される構成となる。
【００４０】
また、シャーシ３１の背面側に光源駆動回路基板２６とコントロール回路基板２７とを装着し、さらにこれらの回路基板２６，２７を覆うように、光源駆動回路基板カバー３４とコントロール回路基板カバー３５とを装着する。これらの回路基板カバー３４，３５にはシャーシ３１に接合するための接合面３４１，３５１が形成される。これらの接合面３４１，３５１とシャーシ３１との間に接合用部材１ａ，１ｂを介在させることにより、これらの回路基板カバー３４，３５をシャーシ３１に装着する。
【００４１】
このようにして組み付けられた表示装置２を分解するには、接合用部材１ａ，１ｂの近傍の気圧を減ずればよい。接合用部材１ａ，１ｂの周辺の気圧を減じて、接合用部材１ａ，１ｂに形成される貫通孔１１や凹状陥没穴１２の内部気圧と外気圧との差を小さくするか、なくするか、または逆転させると、接合用部材１ａ，１ｂは、被接合部材（ここでは、シャーシ３１、フレーム３２、ベゼル３３および各回路基板カバー３４，３５が該当する）に対する吸着力を失う。この結果、この接合用部材１ａ，１ｂにより接合されたこれらの被接合部材どうしは、接合が解除されて分解する。
【００４２】
たとえば表示装置２を気圧の低い部屋に投入すれば、本発明に係る接合用部材１ａ，１ｂを用いて接合した箇所は、全て同時に接合が解除されて分解する。このように、ネジによる接合やリベットによる接合を解除する構成に比較して、分解作業が簡単で、作業時間の短縮を図ることができる。殊に、複数の表示装置を同時に分解することも可能であるから、大量の表示装置を分解する場合において、作業労力を大幅に削減することができる。
【００４３】
以上、本発明の実施形態について詳細に説明したが、本発明は前記実施形態になんら限定されるものではなく、本発明の趣旨を逸脱しない範囲で種々の改変が可能である。
【００４４】
たとえば前記実施形態においては、接合用部材には貫通孔または凹状陥没穴が形成される構成を示したが、貫通孔と凹状陥没穴が混在して形成される構成であってもよい。また、本発明に係る接合用部材は、面どうしの接合であれば適用可能であり、被接合部材の種類は前記実施形態に示したものに限られるものではない。
【図面の簡単な説明】
【００４５】
【図１】本発明の実施形態に係る接合用部材の構成を示した一部断面図を含む外観斜視図であり、（ａ）は貫通孔が形成される接合用部材を、（ｂ）は凹状陥没穴が形成される接合用部材を示す。
【図２】前記実施形態に係る接合用部材を用いて組み付けられる表示装置の構成を示した分解斜視図である。
【図３】従来の表示装置の構成の一例を示した分解斜視図である。
【符号の説明】
【００４６】
１ａ，１ｂ  接合用部材
２  表示装置
２１  反射シート
２２  光源ランプ
２３  サイドホルダ
２４  光学シート類
２５  液晶モジュール
２６  光源駆動回路基板
２７  コントロール回路基板
３１  シャーシ
３１１  シャーシの側壁
３２  フレーム
３２１  フレームの長辺を構成する部材
３２１１  フレームの接合面
３２２  フレームの短辺を構成する部材
３３  ベゼル
３３１  ベゼルの長辺を構成する部材
３３２  ベゼルの短辺を構成する部材
３４  光源駆動回路基板カバー
３５  コントロール回路基板カバー
【図１】
2007065229.tif 000003
【図２】
2007065229.tif 000004
【図３】
2007065229.tif 000005